(57)【要約】      （修正有）【課題】画像の種類によって発生する可能性のある擬似輪郭を低減する。【解決手段】処理対象となる画像信号に対し、設定された度合いの輪郭強調処理を施して、表示パネル側に供給するフィルタ適用部２０４と、画像種類識別信号Ｍｓｐによって指定された画像の種類に応じて、輪郭強調処理の度合いを設定するフィルタ選定部２０８とを具備し、フィルタ適用部２０４は、さらに、設定されたサイズの輪郭強調処理を施し、フィルタ選定部２０８は、動画速度識別信号Ｍvによって指定された動き速度に応じて、輪郭強調処理のサイズを設定する。【選択図】図２
2010048958.tif 000002
【特許請求の範囲】
【請求項１】
処理対象となる画像信号に対し、設定された度合いの輪郭強調処理を施して、表示パネルに供給する輪郭強調フィルタと、
画像種類識別信号によって指定された画像の種類に応じて、前記度合いを設定するフィルタ設定部と、
を具備することを特徴とする画像処理装置。
【請求項２】
前記輪郭強調フィルタは、さらに、設定されたサイズの輪郭強調処理を施し、
前記フィルタ設定部は、動画速度識別信号によって指定された動き速度に応じて、前記輪郭強調処理のサイズを設定する
ことを特徴とする請求項１に記載の画像処理装置。
【請求項３】
前記フィルタ設定部は、
前記画像の種類に応じた前記度合いと前記動き速度に応じたサイズとを予め記憶するデータベースを有し、
前記画像種類識別信号および前記動画速度識別信号に基づいた前記度合いおよび前記サイズを前記データベースからそれぞれ読み出す
ことを特徴とする請求項２に記載の画像処理装置。
【請求項４】
前記フィルタ設定部は、
前記画像種類識別信号および動画速度識別信号に基づいて前記度合いおよび前記サイズをそれぞれ計算して求める
ことを特徴とする請求項２に記載の画像処理装置。
【請求項５】
前記表示パネルは、１画素を３以上の原色によりカラー表示するものであり、
前記輪郭強調フィルタは、処理対象となる画像に対して前記原色毎に前記輪郭強調処理を施す
ことを特徴とする請求項２に記載の画像処理装置。
【請求項６】
処理対象となる画像信号から原色成分比を原色毎に計算して求めるヒストグラム計算部と、を備え、
前記フィルタ設定部は、前記度合いを、前記画像の種類にくわえて、求められた原色成分比に応じて設定する
ことを特徴とする請求項５に記載の画像処理装置。
【請求項７】
処理対象となる画像信号に対し、設定された度合いで輪郭強調処理を施す輪郭強調フィルタと、
画像種類信号によって指定された画像の種類に応じて、前記輪郭強調の度合いを設定するフィルタ設定部と、
前記輪郭強調フィルタにより輪郭強調処理が施された画像を表示する表示パネルと、
を具備することを特徴とする画像表示システム。
【請求項８】
処理対象となる画像信号に対し、設定された度合いの輪郭強調処理を施して、表示パネルに表示させる画像処理方法であって、
前記処理対象となる画像の種類を指定する画像種類識別信号を取得し、
画像種類信号によって指定された画像の種類に応じて、前記輪郭強調処理の度合いを設定する
ことを特徴とする画像処理方法。
【発明の詳細な説明】
【技術分野】
【０００１】
本発明は、液晶素子のようにホールド型の表示素子を用いた表示パネルにおいて、動画像の表示品質を改善させる技術に関する。
【背景技術】
【０００２】
液晶素子や有機ＥＬ素子などの表示素子を画素に用いたアクティブマトリクス型表示装置では、各画素の輝度状態が１フレームの期間（６０Ｈｚで駆動する場合では１６．７ミリ秒）にわたって保持される。このため、次のフレームに移行したとき、前のフレームの画像を視覚したときの記憶が残存するために、前後のフレームにおいて表示される画像の一部に動き領域（またはオブジェクト）があれば、その動き領域の輪郭がぼやけたように知覚される（動画ぼやけ感の発生）。
そこで、動画ぼやけ感を低減するために、オブジェクトの移動速度に応じて、該オブジェクトの幅を細くするとともに輝度を高めるなどの技術（特許文献１参照）や、フレーム間の動きを予測して、ぶれを補償する技術（特許文献２参照）が知られている。
【特許文献１】特開２００３−３４５２８５号公報
【特許文献２】特開２００６−３５０３３４号公報
【発明の開示】
【発明が解決しようとする課題】
【０００３】
しかしながら、これらの技術において、あるシーンでは、動画の動き速度や向きに応じて動画ぼやけ感が低減されるものの、例えば、テロップのように同色であって、かつ、同階調値の線画が動くシーンでは、擬似輪郭が発生して、かえって表示品質を損ねる、といった問題も指摘された。
本発明は、上述した事情に鑑みてなされたもので、その目的の一つは、ホールド型の表示素子を用いた表示パネルであっても、動画ぼやけ感の低減の程度がシーンに依存することを小さくした技術を提供することにある。
【課題を解決するための手段】
【０００４】
上記課題を解決するために、本発明に係る画像処理装置では、処理対象となる画像信号に対し、設定された度合いの輪郭強調処理を施して、表示パネルに供給する輪郭強調フィルタと、画像種類識別信号によって指定された画像の種類に応じて、前記度合いを設定するフィルタ設定部と、を具備することを特徴とする。本発明によれば、輪郭強調の度合いを画像の種類（シーン）に応じて適切に設定することが可能となる。
【０００５】
本発明において、前記輪郭強調フィルタが、さらに、設定されたサイズの輪郭強調処理を施し、前記フィルタ設定部は、動画速度識別信号によって指定された動き速度に応じて、前記輪郭強調処理のサイズを設定すると、動画ぼやけ感も適切に低減することが可能となる。
本発明において、前記フィルタ設定部が、前記画像の種類に応じた前記度合いと前記動き速度に応じたサイズとを予め記憶するデータベースを有し、前記画像種類識別信号および前記動画速度識別信号に基づいた前記度合いおよび前記サイズを前記データベースからそれぞれ読み出せば、高度演算を伴わないので、比較的小さな回路で実現することができる。
一方、本発明において、前記フィルタ設定部が、前記画像種類識別信号および動画速度識別信号に基づいて前記度合いおよび前記サイズをそれぞれ計算して求めれば、データベースに用いるメモリを削減することができる。
【０００６】
また、本発明において、前記表示パネルが、１画素を３以上の原色によりカラー表示するものであり、前記輪郭強調フィルタが、処理対象となる画像に対して前記原色毎に前記輪郭強調処理を施すと、原色毎の輪郭強調による効果も得られることになる。
特に、処理対象となる画像信号から原色成分比を原色毎に計算して求めるヒストグラム計算部と、を備え、前記フィルタ設定部が、前記度合いを、前記画像の種類にくわえて、求められた原色成分比に応じて設定すると、より自然な動画表示が期待できる。
なお、本発明は、画像処理装置のみならず、当該画像処理装置を含む画像表示システムや、画像処理方法としても概念することが可能である。
【発明を実施するための最良の形態】
【０００７】
以下、本発明の実施形態について図面を参照して説明する。
【０００８】
＜第１実施形態＞
まず、本発明の第１実施形態に係る画像表示システムについて説明する。図１は、この画像表示システムの構成を示すブロック図である。この図に示されるように、画像表示システム１は、表示制御回路１０と、画像処理回路２０と、データ信号変換回路３０と、表示パネル１００とに大別され、表示制御回路１０が各部を制御する構成となっている。
【０００９】
このうち、表示パネル１００は、例えばアクティブマトリクス型の液晶表示パネルであり、その表示領域１００ａにおいて、複数行の走査線１１２が図において横方向に延在し、また、複数列のデータ線１１４が図において縦方向に延在し、かつ、各走査線１１２と互いに電気的に絶縁を保つように設けられるとともに、これらの走査線１１２とデータ線１１４との交差のそれぞれに対応して、サブ画素１１０がそれぞれ配設されている。これらのサブ画素１１０は、１列毎にＲ（赤）、Ｇ（緑）、Ｂ（青）に対応しており、横方向にわたって互いに隣接するＲＧＢの３つのサブ画素１１０が１ドットを構成してカラー表示をするものである。
【００１０】
Ｙドライバ１３０は、複数行の走査線１１２を１フレーム期間にわたってそれぞれ１、２、３、…、行目という順番で選択する走査線駆動回路である。
Ｘドライバ１４０は、Ｙドライバ１３０によって選択される行のサブ画素１１０の各々に対し、データ信号変換回路３０によって変換されたデータ信号Ｖsをそれぞれデータ線１１４にサンプリングおよびホールドするデータ線駆動回路である。
【００１１】
ここで、各サブ画素１１０は、詳細については省略するが、周知のように各色に応じたカラーフィルタが設けられる一方、走査線１１２が選択されると、データ線と画素電極との間が導通状態となって、データ線に供給されたデータ信号が画素電極に印加される。走査線が非選択になると、データ線と画素電極との間が非導通状態となるが、画素電極と対向電極との間の電圧は、その容量性によりに保持される。そして、表示パネル１００が透過型であれば、各サブ画素１１０においては、画素電極および対向電極の電圧に応じてカラーフィルタを透過する光量が規定される。
このため、Ｙドライバ１３０が走査線１１２を順番に選択するとともに、Ｘドライバ１４０が選択走査線１１２に対応するサブ画素１１０に対して、指定された階調値に応じた電圧のデータ信号をデータ線１１４に供給すると、選択走査線に位置するサブ画素１１０に画素電極および対向電極の電圧を保持させて、階調値に応じた透過率に制御することができる。
【００１２】
続いて、本発明の特徴部分である画像処理回路２０について説明する。図２は、画像処理回路２０の構成を示すブロック図である。
この図に示されるように、画像処理回路２０は、輝度変換回路２０２、フィルタ適用部２０４、フィルタデータベース２０６、フィルタ選定部２０８およびＲＧＢ変換回路２１０を含む。このうち、輝度変換回路２０２は、図示省略した外部上位回路から供給され、ＲＧＢの原色毎に画素の階調値をデジタルで指定する画像信号を、輝度信号および色差信号に変換するものである。
なお、図１および図２においては、Ｒの画素の階調値を指定する画像信号をＶid-Rと表記し、Ｇ、Ｂの画素の階調値を指定する画像信号をそれぞれＶid-G、Ｖid-Bと表記している。
【００１３】
フィルタデータベース２０６は、フィルタパラメータの複数セットを予め記憶するものであり、フィルタ選定部２０８は、フィルタデータベース２０８に記憶された複数セットのうち、いずれか１つを、画像種類識別信号Ｍspと動画速度識別信号Ｍvとに基づいて選定するとともに、選定したフィルタパラメータのセットをフィルタ適用部２０４にセットするものである。このため、本実施形態では、フィルタ選定部２０８がフィルタ設定部として機能する。
なお、画像種類識別信号Ｍspおよび動画速度識別信号Ｍvについては後述する。
【００１４】
フィルタ適用部２０４は、輝度信号を入力して、当該輝度信号で規定される画像のうち、輝度差（明るさの差）のある部分に対し、セットされたパラメータで規定される輪郭（エッジ）強調処理を施して出力する輪郭強調フィルタである。なお、フィルタ適用部２０４は、輪郭強調処理を施すために作業用のメモリ領域を有するが、重要事項ではないので、図示を省略している。
ＲＧＢ変換回路２１０は、フィルタ適用部２０４によって輪郭強調処理が施された輝度信号と、輝度変換回路２０２によって変換された色差信号とによって、ＲＧＢの原色毎に階調値を指定する画像信号Ｖ-R、Ｖ-G、Ｖ-Bに再変換するものである。
なお、色差信号における輝度変換回路２０２からＲＧＢ変換回路２１０まで供給される経路については図示省略している。
【００１５】
説明を図１に戻すと、データ信号変換回路３０は、画像信号Ｖ-R、Ｖ-G、Ｖ-Bを、表示パネル１００における画素１１０を駆動するのに適したアナログのデータ信号Ｖsに変換して、Ｙドライバ１３０およびＸドライバ１４０による駆動タイミングに合わせて表示パネル１００に供給する。
【００１６】
次に、フィルタ適用部２０４が施す輪郭強調処理の概要について図３を参照して説明する。
ある画像において輝度差がある部分に着目したときに、横軸に空間座標（画素間距離）をとり、縦軸に輝度（明るさ）をとったとき、フィルタ適用前では、図３において破線で示されるように、輪郭を境にして輝度が変化する特性となる。このような特性に対して輪郭強調処理は、同図において実線で示されるように、強調すべき輪郭、すなわち、輝度変化部分を境として、明るい部分と暗い部分との両方向に、それぞれ輝度変化方向に過剰に輝度変化を与えるオーバーシュート部と、該オーバーシュート部よりも外側に位置し、輝度変化方向とは反対側に戻す方向に輝度変化を与えるアンダーシュート部とによって、輝度差のある部分に対して、さらにコントラスト差を与えて、エッジ部分を強調させ、視認性を高めるというものである。
【００１７】
次に、輪郭強調処理におけるオーバーシュート量Ｏsを、同図に示すようにオーバーシュート部における変化前からの輝度変化量として規定し、同様に、アンダーシュート量Ｕsを、アンダーシュート部における変化前からの輝度変化量として規定する。
ここで、オーバーシュート量Ｏsおよびアンダーシュート量Ｕsが、画像の種類のいかんによっては、処理前の画像において輝度差が小さい部分（または、輝度差がない部分）、すなわち、輪郭として視認されることのない部分に対して、過剰なエッジ強調がなされ、輪郭として視認されてしまう現象（擬似輪郭）が発生する可能性がある。
【００１８】
そこでまず、本実施形態では、図４に示されるように、画像の種類を、例えば「自然画」、「アニメ」および「テキスト」の三種類に分けるとともに、これら種類のそれぞれに対して輪郭強調処理におけるオーバーシュート量およびアンダーシュート量を予め定めて、フィルタデータベース２０６に記憶させておく。
ここで「自然画」とは、例えば風景写真やポートレートのように階調値や輝度が広く分散した画像であり、「テキスト」とは、「自然画」とは対極をなし、ある色を背景として文字などの線画を表示する画像のように、同じ階調値や輝度が空間的に連続する領域が大部分であって、使用される階調値が極めて少ない画像である。なお、「アニメ」とは、「自然画」と「テキスト」との中間的な種類の画像であり、使用される階調値が「テキスト」よりも多いが、「自然画」よりは少ない画像であり、アニメーション画像に多くみられる特徴から、この種類の名として付けられている。
画像の種類は、画像種類識別信号Ｍspによって指定される。なお、この画像種類識別信号Ｍspのそれ自身については、図示省略した上位回路が画像信号を処理して、階調値のヒストグラムを作成し、その分布を判断することや、別途用意された操作ボタンをユーザが指定し、その指定結果を出力することなどして生成した信号が用いられる。
【００１９】
次に、図４に示されるように画像の種類に対してそれぞれオーバーシュート量およびアンダーシュート量が、それぞれ設定されている。詳細には、「自然画」に対してオーバーシュート量Ｏs1およびアンダーシュート量Ｕs1が、「アニメ」に対してオーバーシュート量Ｏs2およびアンダーシュート量Ｕs2が、「テキスト」に対してオーバーシュート量Ｏs3およびアンダーシュート量Ｕs3が、それぞれ設定されている。
【００２０】
そして、フィルタ選定部２０８は、画像種類識別信号Ｍspによって指定された画像の種類に応じたオーバーシュート量およびアンダーシュート量を、フィルタデータベース２０６から読み出して、フィルタ適用部２０４にセットする構成となっている。
ここで、画像の種類のそれぞれに設定されたオーバーシュート量およびアンダーシュート量の大小関係は、
Ｏs1＞Ｏs2＞Ｏs3、
Ｕs1＞Ｕs2＞Ｕs3
と規定する。
【００２１】
このような規定によって、本実施形態では、「自然画」に対してオーバーシュート量およびアンダーシュート量を大きくし、輪郭強調処理の度合いを高めて動画ぼやけ感の低減を図る一方で、輝度差が明確である「テキスト」に対してはオーバーシュート量およびアンダーシュート量を小さくして、擬似輪郭の発生を防ぐことができる。
【００２２】
本実施形態では、画像の種類に応じて輪郭強調処理の度合いを規定するほかに、さらに、動画の動き速度に応じて輪郭強調処理に適用するサイズも規定する。まず、動画の動き速度に応じて発生する、ぼやけ感ついて図５を参照して説明する。
液晶表示パネルにおいて画素の応答は、周知のように、あるフレームにおいて走査線が選択されたときに書き込まれた電圧状態を次のフレームにおいて再び走査線が選択されるまで維持するホールド型である。このため、図５（ａ）に示されるように、あるフレーム（ｎフレーム）において白色を背景とした黒色領域が、次の（ｎ＋１）フレームにおいて例えば右方向に移動するような動画を表示させたとき、当該黒色領域の後縁部分よりも左側の部分では、前のｎフレームで表示された黒色部分が記憶として残存するために、背景の白色ではなく、当該黒色領域の後縁に近づくにつれて暗くなるように知覚される。同様に、当該黒色領域の前縁部分から右側の部分では、前のｎフレームで表示された白色部分が記憶として残存するために、黒色ではなく、当該黒色領域の前縁に近づくにつれて明るくなるように知覚される。したがって、図に示されるように、移動する黒色領域は、その前縁および後縁の双方において、ｎフレームから（ｎ＋１）フレームにかけて移動した距離ｗ１だけ、ぼやけたように知覚される。
なお、ぼやけの距離（幅）は、動き領域におけるフレーム間の移動距離であるから、動き領域の速度が大きいと、図５（ｂ）に示されるように、ぼやけの幅もｗ２と大きくなる。
【００２３】
このように、ぼやけの幅は、動き領域の速度（フレーム間の移動距離）に応じて異なるが、ぼやけの幅に対して適切に輪郭強調処理を施さないと、画像の種類と同様に擬似輪郭が発生する可能性がある。
そこで、本実施形態では、動き領域の速度に応じて輪郭強調処理に適用するサイズを規定することにしている。ここで、輪郭強調処理に適用するサイズとは、図３において、オーバーシュート部とアンダーシュート部との空間的な距離（サイズ）Ｓzである。なお、輝度変化部分を境として明るい部分および暗い部分の双方においてオーバーシュート部およびアンダーシュート部が存在するが、サイズＳzを明るい部分および暗い部分の双方において共通としている。
【００２４】
ここで、小さいぼやけの幅となる動き領域をふくむ画像に対して適用する輪郭強調処理のサイズを大きくすると、また反対に、大きいぼやけの幅となる動き領域をふくむ画像に対して適用する輪郭強調処理のサイズを小さくすると、上述した擬似輪郭が発生する原因となる。
このため、本実施形態では、輪郭強調処理に適用するサイズを、動画の動き速度、すなわち動き領域のフレーム間の移動距離に設定することにしている。詳細には、例えば動き領域の移動距離を予め複数に区分するとともに、これらの区分のそれぞれに対応するサイズをフィルタデータベース２０６に予め記憶させておき、フィルタ選定部２０８は、動画速度識別信号Ｍvによって示される動き領域の移動距離が属する区分に対応するサイズをフィルタデータベース２０６から読み出して、フィルタ適用部２０４にセットする構成となっている。
なお、この動画速度識別信号Ｍvのそれ自身については、図示省略した上位回路が現フレームの画像と記憶した前フレームの画像とを比較し、現フレームにおいて前フレームから移動した領域の距離を、動画速度識別信号Ｍvとして出力するなどによって得られる。
【００２５】
このように本実施形態では、画像の種類に応じて、さらに画像に動き領域がある場合でも、擬似輪郭の発生を抑えた上で、知覚される画像のぼやけ感を低減することができる。
【００２６】
なお、本実施形態において、画像の種類が複数存在する場合（例えば、画面を上半分と下半分とに分割して、それぞれ異なる画像を表示する場合）や、また、１つの画像において動き領域が複数存在して、それぞれ異なる速度で移動する場合などでは、画像領域を複数の領域に分割して、それぞれにおいて適切な輪郭強調を適用しても良い。
【００２７】
＜第２実施形態＞
次に、本発明の第２実施形態に係る画像表示システムについて説明する。この画像表示システムは、第１実施形態における画像表示システム１における画像処理回路を、図６に示す画像処理回路に置き換えたものであり、その他の部分は第１実施形態と共通である。
したがって、ここでは置き換えられた画像処理回路について説明することにする。
図６におけるフィルタ計算部２１８は、画像種類識別信号Ｍspによって指定された画像の種類に応じたオーバーシュート量およびアンダーシュート量を計算して求めるとともに、動画速度識別信号Ｍvによって示される動き領域の移動速度を、フィルタのサイズとして求めて、それぞれ求めたオーバーシュート量、アンダーシュート量およびサイズをフィルタ適用部２０４にセットする構成となっている。
このため、第２実施形態では、フィルタ計算部２１８がフィルタ設定部として機能する。
第２実施形態によれば、第１実施形態と比較して、フィルタデータベース２０６が不要となるので、データベースの要したメモリの削減によって構成の簡易化を図ることができる。
【００２８】
＜第３実施形態＞
次に、本発明の第３実施形態に係る画像表示システムについて説明する。この画像表示システムは、第１実施形態における画像表示システム１における画像処理回路を、図７に示す画像処理回路に置き換えたものであり、その他の部分は第１実施形態と共通である。
第１または第２実施形態では、画像の輝度を基準にして輪郭強調処理を施したが、この第３実施形態では、ＲＧＢの原色毎に輪郭強調処理を施すものである。
図７におけるヒストグラム計算部２２０は、画像信号Ｖid-R、Ｖid-G、Ｖid-Bにおいてそれぞれ指定された階調値のヒストグラムを作成し、画像を構成するＲＧＢ成分の比を計算する。この計算は、例えば図８に示されるようなものであり、階調値が大きい値を多く有する成分の比が大きくなる。
【００２９】
なお、図８において、ＨＲ（ｎ）は、１フレームの画像をそれぞれＲ、ＧおよびＢ成分に分解したときに、Ｒ成分において階調値がｎである画素の数である。ＷＲは、この画素の数に階調値ｎの重みを乗じた値を、階調値が取り得る範囲にわたって累積した値である。同様に、ＨＧ（ｎ）、ＨＢ（ｎ）は、それぞれＧ、Ｂ成分において階調値がｎである画素の数であり、ＷＧ、ＷＢは、該画素の数に階調値ｎの重みを乗じた値を、階調値が取り得る範囲にわたって累積した値である。なお、階調値ｎは、例えば階調値が８ビットであれば、最も暗い「０」から最も明るい「２５５」までにわたる。
ここで、Ｍax（ＷＲ、ＷＧ、ＷＢ）は、ＷＲ、ＷＧ、ＷＢのうちの最高値である。
そして、この最高値を分母にとり、ＷＲ、ＷＧ、ＷＢをそれぞれ分子にとったものを、それぞれＲ成分の比ＷＲ’、Ｇ成分の比ＷＧ’、Ｂ成分の比ＷＢ’としている。
なお、比の計算については、図８に示した内容と異なっても良い。
【００３０】
第３実施形態におけるフィルタ適用部２２４は、Ｒ用、Ｇ用およびＢ用の原色毎に用意される。フィルタ計算部２２８は、ＲＧＢ用のフィルタにそれぞれセットするオーバーシュート量およびアンダーシュート量を、画像種類識別信号Ｍspに加えＲＧＢ成分の比をも考慮する。
詳細には、フィルタ計算部２２８は、例えば、画像種類識別信号Ｍspによって指定された画像の種類に応じたオーバーシュート量およびアンダーシュート量を計算して求める点までは第２実施形態と同様であるが、さらに、求めた量に対しＲＧＢの成分の比（または該比を応じた係数）を乗じて、ＲＧＢの用のフィルタにセットする。
なお、フィルタ計算部２２８は、動画速度識別信号Ｍvによって示される動き領域の移動速度を、フィルタのサイズとして求めて、それぞれ原色のフィルタにセットする。
【００３１】
これにより、第３実施形態では、例えばＲ成分を相対的に多く含む画像に対しては、Ｒ用のフィルタにおいてオーバーシュート量およびアンダーシュート量がより大きく設定される一方で、Ｇ、Ｂ用のフィルタにおいてオーバーシュート量およびアンダーシュート量がより小さく設定されるので、ＲＧＢ成分に対して適切に輪郭強調処理がなされる結果、各原色成分の輪郭でコントラスト強調がなされて、色彩コントラスト強調の効果も得ることができる。
また、第３実施形態における画像処理回路では、フィルタ適用部２２４がＲＧＢの原色成分毎に用意する必要があるが、原色成分毎に処理を実行するので、輝度変換回路２０２や、ＲＧＢ変換回路２１０を不要とすることができる。
【００３２】
＜実施形態の応用・変形＞
上述した実施形態では、輪郭強調処理を施す際に、画像の種類に応じてオーバーシュート量およびアンダーシュート量を設定して当該輪郭強調処理の度合いを規定したが、画像の種類に応じて、輝度や彩度を補正しても良い。例えば、「自然画」に対して、彩度を高めるような補正をすれば、見栄えを良くすることができる一方、「テキスト」であれば、彩度の補正は不要である。また、ヒストグラムの計算によって、画像の輝度が低いと判断されるのであれば、輝度を高めるような補正をすれば、画像視認性を高めることも可能である。
【００３３】
また、画素１１０については透過型に限られず、反射型であっても良いし、透過型および反射型の両者を組み合わせた、いわゆる半透過半反射型としても良い。また、Ｒ（赤）、Ｇ（緑）、Ｂ（青）の３画素で１ドットを構成したが、原色を４つ以上としてカラー表示を行っても良い。例えばＲＧＢのうち、Ｇを、ＹＧ（黄緑）およびＥＧ（エメラルドグリーン）に分けて、これらの４色の画素で１ドットを構成しても良い。
さらに表示パネル１００については液晶素子に限られず、例えば有機ＥＬ素子などのようにホールド型であれば、いかなる素子も適用可能である。
【００３４】
＜電子機器＞
次に、上述した実施形態に係る画像表示システム１を有する電子機器について説明する。図９は、実施形態に係る画像表示システムを用いた携帯電話１２００の構成を示す図である。
この図に示されるように、携帯電話１２００は、複数の操作ボタン１２０２のほか、受話口１２０４、送話口１２０６とともに、上述した画像表示システムを備えるものである。ここで、画像表示システムのうち、表示領域１００ａに相当する部分以外の構成要素については、図９に示した携帯電話１２００の外観としては現れることはない。
画像表示システム１が適用される電子機器としては、図９に示される携帯電話の他にも、デジタルスチルカメラや、ノートパソコン、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、フォトストレージビューワ、タッチパネルを備えた機器等などが挙げられる。そして、これらの各種電子機器の表示装置として、上述した画像表示システム１が適用可能であることは言うまでもない。
【図面の簡単な説明】
【００３５】
【図１】本発明の第１実施形態に係る画像表示システムの構成を示すブロック図である。
【図２】同画像表示システムにおける画像処理回路の構成を示す図である。
【図３】同画像処理回路における輪郭強調処理を示す図である。
【図４】同画像処理回路における画像の種類等を示す図である。
【図５】動画表示におけるぼやけを説明するための図である。
【図６】第２実施形態における画像処理回路の構成を示す図である。
【図７】第３実施形態における画像処理回路の構成を示す図である。
【図８】同画像処理回路におけるＲＧＢの成分比の算出例を示す図である。
【図９】実施形態における画像表示システムを適用した携帯電話の構成を示す図である。
【符号の説明】
【００３６】
１…画像表示システム、１０…表示制御回路、２０…画像処理回路、１００…表示パネル、２０２…輝度変換回路、２０４…フィルタ適用部、２０６…フィルタデータベース、２０８…フィルタ選定部、２１０…ＲＧＢ変換回路、２１８…フィルタ計算部、２２０…ヒストグラム、２２６…フィルタ計算部、１２００…携帯電話
【図１】
2010048958.tif 000003
【図２】
2010048958.tif 000004
【図３】
2010048958.tif 000005
【図４】
2010048958.tif 000006
【図５】
2010048958.tif 000007
【図６】
2010048958.tif 000008
【図７】
2010048958.tif 000009
【図８】
2010048958.tif 000010
【図９】
2010048958.tif 000011